(57)【特許請求の範囲】
【請求項１】
電子レベルを着脱自在に固定するための台板と、
前記台板の一方の側端に設けられ、丁張りの貫板に一定の高さで掛け止められる貫板掛止枠と、
前記台板の他方の側端に設けられ、前記台板を支持するための支柱を長さ調節可能に固定する支柱固定枠と、
前記台板の台面の水平位置を視認するための水準器とを備えることを特徴とするレベル取付台。
【請求項２】
前記台板と前記貫板掛止枠とが前記貫板の長さ方向に対し垂直な回動面をもつヒンジによって連結される、請求項１記載のレベル取付台。
【請求項３】
前記台板と前記支柱固定枠とが前記貫板の長さ方向に対し垂直な回動面をもつヒンジによって連結される、請求項１または２記載のレベル取付台。
【請求項４】
前記貫板掛止枠に、前記丁張りの水杭を固定可能な枠窓を設ける、請求項１、２または３記載のレベル取付台。
【発明の詳細な説明】
【０００１】
【発明の属する技術分野】
本発明は、建物の基礎工事、土木工事等に用いる電子レベルを固定するレベル取付台に関するものである。
【０００２】
【従来の技術】
住宅等の建築現場においては、まず、予定建物の配置に従って地縄張りを行い、地縄の周囲に丁張り（水盛・やり方）を行って基礎工事を開始する。丁張りにより高さの基準を定めておき、この高さ基準から一定の深さで地面を掘る（根切り）。丁張り作業は、通常、予定建物の周囲に水杭を打って、この水杭に高さ基準を出すための貫板を水平に固定している。
【０００３】
従来、基礎工事の際に、地面の水平を測るときには電子レベルを使用することが多い。丁張りの外側の適当な位置に三脚によって電子レベルを設置し、この電子レベルの高さを丁張りのやや上方位置に合わせる。そして、電子レベルから発射されるレーザ光を、基準棒（バカ棒）を取り付けた受光器で受けて各場所の深さをチェックする。つまり、受光器の下方に基準棒を一定の長さで延ばしておき、この基準棒の下端を地面に合わせることで各場所で水平を出している。
【０００４】
受光器に基準棒を取り付ける手順は、例えば図９に示すように行う。図９において、丁張り１は、貫板２が水杭３に一定の高さで水平に固定されている。この場合、まず、貫板２の上面に基準棒７を立て、電子レベル５の高さに受光器６の基準６ａを合わせる。次に、丁張り１の高さ基準（貫板２の上面）から掘るべき地面の深さまでの長さＬを、受光器６から上方に向けて測って基準棒７に目印７ａを付け、一旦、受光器６から基準棒７を取り外す。そして、あらかじめ付けておいた目印７ａの位置に受光器６の基準６ａを合わせると、受光器６の下方に延びた基準棒７の長さが、掘るべき深さ（高さ基準から地面までの深さ）と同じ長さＬに設定される。
【０００５】
【特許文献１】
特開平７−１８１０４０号公報
【特許文献２】
特開２００２−２３６０２２号公報
【特許文献３】
実開昭５０−１３６４４２号公報
【特許文献４】
実開昭５５−２５２８０号公報
【特許文献５】
実開昭５７−７９７１２号公報
【０００６】
【発明が解決しようとする課題】
このように基礎工事においては、電子レベルのレーザ光を受光器で受けて地面の水平を測っている。しかしながら、丁張りの内側の作業範囲には、重機や掘った土の山、搬入された砕石の山などの障害物があるために、レーザ光を受光器で受けることができないことがある。このため、障害物の背後では、前述したような水平を出すための測量が困難になりやすい。
【０００７】
この対策として、従来は、障害物が邪魔にならない別の場所に、電子レベルを三脚ごと移動して作業を続けているが、電子レベルの設置場所が変わると、受光器の高さが最初の位置からズレてしまう。このため、前述したような受光器と基準棒との位置合わせを再度、繰り返すことが必要になる。
この結果、電子レベルの移設作業を行う度に受光器と基準棒の位置合わせするのが面倒で、基礎工事の作業効率が低下しやすくなっていた。
【０００８】
本発明は、このような現状に鑑みなされたもので、電子レベルの移設作業を行っても、受光器と基準棒との位置合わせを繰り返すことなく、迅速かつ正確に水平測量を行えるようにしたレベル取付台を提供することを目的としている。
なお、本発明に関連する先行技術としては、鋼材等に電子レベルを固定するためのレベル取付台が知られるが（特許文献１〜５）、本発明のように、丁張りの貫板に電子レベルを設置するのに適したレベル取付台は知られていない。
【０００９】
【課題を解決するための手段】
［第１発明］
前記課題を解決するための本発明（第１発明）のレベル取付台は、以下の構成を特徴としている。すなわち、
電子レベルを着脱自在に固定するための台板と、
前記台板の一方の側端に設けられ、丁張りの貫板に一定の高さで掛け止められる貫板掛止枠と、
前記台板の他方の側端に設けられ、前記台板を支持するための支柱を長さ調節可能に固定する支柱固定枠と、
前記台板の台面の水平位置を視認するための水準器とを備える構成とした。
【００１０】
本発明（第１発明）によれば、丁張りの貫板に貫板掛止枠を掛け止めて台板の高さを設定するため、丁張りのどの位置にレベル取付台を固定しても、電子レベルの高さを一定の高さに維持することができる。これにより、最初に受光器に基準棒の位置を設定すれば、電子レベルの設置場所を移動しても、基準棒の位置合わせをやり直す必要がない。この結果、丁張りの内側に重機等の障害物があっても、水平測量の作業を迅速かつ快適に行うことができる。
また、本発明（第１発明）のレベル取付台は、台板を支持するための支柱を支柱固定枠によって自在に長さ調節することができるため、簡単に台板を水平に保つことができる。
さらに、丁張りの貫板と支柱とによって電子レベル等の荷重を支持することができるため、台板上で電子レベルの取付状態が安定する。
【００１１】
なお、本発明（第１発明）において、台板を水平に保つための水準器は、台板の台面に設けるのが望ましいが、電子レベルに水準器が付属している場合には、この付属の水準器を用いてもよい。
また、台板を支持する支柱は、特に限定されず、建築用の角材等を用いることができる。
【００１２】
［第２発明］
本発明（第２発明）のレベル取付台は、前記台板と前記貫板掛止枠とが前記貫板の長さ方向に対し垂直な回動面をもつヒンジによって連結されることを特徴としている。
【００１３】
水杭に貫板を打ち付ける場合には、丁張りの基準の高さに貫板の上面を位置決めすると、通常、貫板の上面はほぼ水平に保たれ、また、両側面はほぼ垂直に保たれる。
しかしながら、水杭が地面に斜めに打ち付けられていたり、貫板の板厚が不均一であったりすると、貫板の上面および両側面が斜めに傾きやすくなり、貫板に貫板掛止枠を掛け止めたときに台板が水平にならないことがある。
【００１４】
本発明（第２発明）によれば、台板と貫板掛止枠とを連結するヒンジによって、これらの回動角度を自在に調節できる。これにより、貫板の上面および両側面が傾いた状態であっても、簡単に台板の水平を出すことができる。
【００１５】
［第３発明］
本発明（第３発明）のレベル取付台は、前記台板と前記支柱固定枠とが前記貫板の長さ方向に対し垂直な回動面をもつヒンジによって連結されることを特徴としている。
【００１６】
台板を支柱で支持する場合には、通常、台板に対し支柱を垂直に立てればよい。しかしながら、地面に傾斜がある場合等には、支柱を傾けて固定した方が台板を安定させやすいことがある。
【００１７】
本発明（第３発明）によれば、台板と支柱固定枠とを連結するヒンジによって、これらの回動角度を自在に調節できる。これにより、台板に対し支柱を自由な角度で立てることができ、台板をより安定させることができる。
また、後述する本発明の実施形態（図７参照）に示すように、壁材等で支柱を支持することが可能になり、レベル取付台の使用範囲が広がる。
【００１８】
［第４発明］
本発明（第４発明）によるレベル取付台は、前記貫板掛止枠に、前記丁張りの水杭を固定可能な枠窓を設けたことを特徴としている。
【００１９】
電子レベル等の荷重を貫板で支持する場合、貫板の強度が不十分であると、貫板の変形や折損といった不具合によって電子レベルが安定しないことも想定される。
本発明（第４発明）によれば、支柱固定枠に支柱を固定し、さらに貫板掛止枠の枠窓に水杭を固定することで、これらの支柱と水杭によって電子レベル等の荷重を支持することができる。これにより、貫板にかかる荷重負担を大幅に軽減することができ、信頼性の高い安定的な電子レベルの設置を行うことができる。
なお、枠窓には、水杭の他に、建築用の角材等からなる支柱を固定してもよい。
【００２０】
本発明（第１〜４発明）は、必要に応じて単独で適用してもよいし、各発明を組み合わせて適用してもよい。また、本明細書に記載される他の発明を組み合わせてもよい。
【００２１】
【発明の実施の形態】
以下、本発明の実施の形態を図面に基づいて説明する。
本発明の実施形態によるレベル取付台を図１〜図４に示した。図１は、レベル取付台の斜視図、図２は平面図、図３は底面図、図４は側面図である。
図１に示すように、レベル取付台１０は、台板１２の両側端に貫板掛止枠１３と支柱固定枠１４とが取り付けられている。台板１２の一方の側端には、貫板掛止枠１３を回動自在に支持するヒンジ１６が設けられる。台板１２の他方の側端には、支柱固定枠１４を回動自在に支持するヒンジ１７が設けられる（図２参照）。そして、台板１２の底面側のほぼ中央には、電子レベルを取り付けるためのレベル固定ネジ１８が設けられている（図３参照）。
【００２２】
図２および図３に示すように、台板１０は、四隅部の面取りされた矩形状の板材からなるもので、その台面がほぼ水平に形成されている。台板１２の板厚は、ほぼ均一になっている。レベル固定ネジ１８によって台板１２の台面中央に電子レベルが固定される。
台板１２の貫板掛止枠１３側の端部には、台面の水平を出すための水準器１５が設けられる。
【００２３】
図１に示すように、貫板掛止枠１３は、金属製の天板２１と壁板２２、２３とからなるもので、天板２１の両端から壁板２２、２３が垂直に延びている。レベル取付台１０を側方から見ると（図４参照）、天板２１と壁板２２、２３がコ字形になっている。壁板２２と壁板２３の間隔は、貫板の板厚よりも若干広くなる程度にあらかじめ設定されている。
【００２４】
図１で外側の壁板２２には、貫板固定ネジ２５、２６、２７が設けられる。貫板固定ネジ２５、２６、２７は、それぞれ壁板２２の貫通孔周りに溶接固定されたナット２５ａ、２６ａ、２７ａに締め付けられる。壁板２２と壁板２３の間に貫板を嵌めた状態で、各固定ネジ２５、２６、２７を締め込むと、各ネジの先端と壁板２３の板面との間で貫板が挟持固定される。
【００２５】
天板１３の中央部には、枠窓Ｗが開口している。この枠窓Ｗには、丁張りの水杭が挿入可能になっている。貫板と水杭とが交叉する位置に貫板掛止枠１３を係止するときには、枠窓Ｗに水杭を通して貫板を壁板２２、２３の間に入れる。貫板固定ネジ２５、２６、２７のうち、中間の固定ネジ２６は、必要に応じ枠窓Ｗ内で水杭を固定するのに用いられる。
【００２６】
図２に示すように、支柱固定枠１４は、金属製の縦板３１と横板３２、３３を備えている。縦板３１の板面に横板３２および３３がほぼ垂直に立ち上げられている。横板３２と横板３３との間隔は、建築用の角材等からなる支柱が挿入できる程度の広さに設定される。
【００２７】
図２で下側の横板３３には支柱固定ネジ３５が設けられる。支柱固定ネジ３５は、横板３２の貫通孔周りに溶接固定されたナット３５ａに締め付けられる。横板３２と横板３３の間に支柱を嵌めた状態で、支柱固定ネジ３５を締め込むと、支柱固定ネジ３５の先端と横板３２の板面との間で支柱が挟持固定される。
【００２８】
水準器１５は、台板１２の水平を測るための気泡管４１、４２を備えている。台板１２の前後方向の水平を出す場合には、気泡管４１を用い、左右方向の水平を出す場合には気泡管４２を用いる。これらの両者の気泡が基準位置になっているとき、台板１２の台面の水平が保たれることになる。
【００２９】
図４に示すように、レベル固定ネジ１８は、雄ネジ部１８ａの中間に細径部１８ｂを有する。細径部１８ｂは、雄ネジ部１８ａよりも外径が小さく、ネジ溝が切られていない。
台板１２のほぼ下面中央には、金属製の支持板４４が固定される。台板１２を貫通する抜き孔Ｎ１に雄ネジ部１８ａが挿入され、支持板４４を貫通する抜き孔Ｎ２に細径部１８ｂが挿入されている。台板１２の抜き孔Ｎ１の孔径は、雄ネジ部１８ａの外径よりも大きい。一方、支持板４４の抜き孔Ｎ２の孔径は、細径部１８ｂよりも大きく、雄ネジ部１８ａの外径よりも小さい。これにより、図４に示すように、レベル固定ネジ１８が細径部１８ｂによって支持板４４にぶら下がった状態になり、レベル固定ネジ１８を持ち上げると、細径部１８ｂの長さ分だけ雄ネジ部１８ａの先端が台板１２上に突き出る。そして、このようにレベル固定ネジ１８を持ち上げた状態で電子レベルの固定用雌ネジにレベル固定ネジ１８が締め付けられるようになっている。
【００３０】
台板１２の裏側の左右両端部には、振り子ネジ５１、５２が吊り下げられている。振り子ネジ５１、５２は、接ぎ手５１ａ、５２ａによって図４で左右方向に回動する。
一方、貫板掛止枠１３および支柱固定枠１４の図４で内側面、すなわち、壁板２３と縦板３１の板面には補助孔Ｈ１およびＨ２が設けられている。図４二点鎖線に示すように、台板１２に対し壁板２３が折れ曲がるとき、補助孔Ｈ１に振り子ネジ５１が挿入される。同様に、縦板３３が折れ曲がるとき、補助孔Ｈ２に振り子ネジ５２が挿入される。
このように補助孔Ｈ１、Ｈ２に振り子ネジ５１、５２を通した状態で、これらに嵌め込まれるナット５１ｂと５１ｃの間に壁板２３を挟んで固定し、また、ナット５２ｂと５２ｃの間に縦板３１を挟んで固定すると、貫板掛止枠１３または支柱固定枠１４を内側に傾けて固定する場合でも、その姿勢を安定的に保つことができる。
【００３１】
次に、レベル取付台１０の使用例を説明する。
図５および図６に丁張り１の貫板２に電子レベル５を取り付けた状態を示した。
貫板２にレベル取付台１０を設置する場合、まず、台板１２にレベル固定ネジ１８によって電子レベル５を固定する。なお、レベル取付台１０の設置後に台板１２に電子レベル５を固定してもよいが、正確な位置に電子レベル５を設置するには、このように最初にレベル取付台１０に電子レベル５を固定しておくことが望ましい。
【００３２】
台板１２に電子レベル５を固定した状態で、貫板２に貫板掛止枠１３を掛け止め、貫板２の上面に貫板掛止枠１３の天板２１を載置し、貫板２の側面に壁板２３を密着させる。そして、貫板固定ネジ２５、２６、２７を締め付けて貫板２に貫板掛止枠１３を固定する。
次いで、支柱固定枠１４に支柱６１を取り付け、支柱固定ネジ３５により仮止めしておく。支柱には専用に作製したものを使用してもよいし、建築用の角材等を代用してもよい。
このような状態で、水準器１５を見ながら台板１２の台面が水平になるように、ヒンジ１６、１７の回動角度を調節し、支柱固定枠１４に仮留めした支柱６１の長さを調節する。台板１２の台面がほぼ水平になったら、支柱固定ネジ３５を本留めし、支柱固定枠１４に支柱６１を固定する。
【００３３】
ここで、レベル取付台１０は、貫板２が鉛直方向に対し傾いている場合でも（図６参照）、ヒンジ１６が貫板２の長さ方向（軸方向）に対して垂直な回動面で回動するため、その回動角度を調節することにより、簡単に台板１２を水平に保つことができる。また、支柱固定枠１４の下方の地面に傾斜等があっても、ヒンジ１７が貫板２の長さ方向（軸方向）に対して垂直な回動面で回動するため、その回動角度を調節することにより、支柱６１を常に接地面に対し垂直に保ち、台板１２を水平に保って安定させることができる。
【００３４】
地面の水平を測量する際には、図９で説明したのと同様な方法で、最初に受光器と基準棒とを位置合わせする。電子レベル５のレーザ光を受光器で受けながら丁張り１内の各場所の水平を測る。
丁張り１の内側に重機や土の山等の障害物がある場合には、電子レベル５のレーザ光を受光器で受けることができない。そこで、レベル取付台１０の位置を変え、電子レベル５を移設することが必要になる。
【００３５】
レベル取付台１０によれば、貫板固定ネジ２５、２６、２７を緩めて貫板２から貫板掛止枠１３を取り外し、障害物が邪魔にならない貫板２の他の場所にレベル取付台１０を設置し直せば、簡単に電子レベル５を移設することができる。
そして、このようにレベル取付台１０を常に貫板２に設置することにより、丁張り１の高さ基準から電子レベル５の高さが同じになり、受光器と基準棒との設定を合わせ直す必要がない。通常、丁張りは、基礎工事が終わるまで外さないので、毎回、毎日一定の高さを維持することができる。これにより、簡単な電子レベル５の設置作業で丁張り１内の任意の場所で正確に地面の水平を出すことができる。
【００３６】
また、レベル取付台１０によれば、貫板２への脱着が簡単で、かつコンパクトで持ち運びの負担も少ないため、極めて実用的である。
この結果、現場の作業者の負担が大幅に軽減され、作業時間の短縮化を図ることができる。
特に、受光器と基準棒の設定の面倒な深堀作業の場合には、受光器と基準棒の設定を変えることなく、電子レベル５の移設だけで任意の場所で正確な水平測量を行えるため、作業効率を大幅に向上させることができる。
【００３７】
貫板２の強度が小さい場合には、貫板掛止枠１３の枠窓Ｗ（図１参照）に水杭３を通して固定し、電子レベル５等の荷重を支持するようにするとよい。
これにより、貫板２の変形等が防止され、電子レベル５の設置の信頼性が高まる。
また、枠窓Ｗに別個の支柱を固定してレベル取付台１０の安定化を図るようにしてもよい。
【００３８】
次に、レベル取付台１０の他の使用例について説明する。
図７に示す使用例は、レベル取付台１０を壁材７１に設置したものである。まず、壁材７１の上端に貫板掛止枠１３の天板２１を載せ、壁材７１の板面に壁板２３を当てる。この状態で貫板固定ネジ２５〜２７を締め付け、壁材７１の上端部に貫板掛止枠１３を固定する。
次いで、支柱固定枠１４の縦板３１を、振り子ネジ５２（図４参照）で台板１２に対し４５゜程度の角度に保ち、横板３２、３３に仮留めした支柱７２の先端が壁材７１に当たるようにする。そして、水準器１５を見ながら支柱７２の長さを調整し、台板１２の台面を水平に合わせる。
【００３９】
このような使用例によれば、適度な厚みをもった壁材に簡単に電子レベル５を取り付けることができる。また、高所などの支柱７２を地面に立てることが困難な場所でも、電子レベル５を設置することが可能になる。
【００４０】
図８には、下げ振りによる地墨出しの補助具としてレベル取付台１０を使用する例を示した。
レベル取付台１０は、貫板２に貫板掛止枠１３が固定される。この固定方法については前述の使用例と同様である。貫板２に水平に支持される台板１２と支柱８２との間には角材８１が水平に渡される。角材８１の一端は、支柱固定枠１４により台板１２の台面上に固定され、角材８１の他端は、補助具８５によって支柱８２にほぼ垂直に固定されている。このような取り付け状態において、角材８１の下面が丁張りの高さ基準、すなわち貫板２の上面の高さに概ね一致する。
【００４１】
図８に示すように、貫板２に巻き付けた水糸８３を貫板２の上面側から引き出して角材８１に渡す。そして、角材８１の下方に錘８４を吊り下げることで地面に地墨の印を付す。
このように本発明の実施形態によるレベル取付台１０は、貫板等に電子レベル５を固定する台として用いるほか、地墨出しの作業を補助する補助具として兼用することができる。レベル取付台１０を使用する場合、手作業で錘８４を吊り下げる場合に比べ、極めて正確かつ確実に地墨の印を付すことができる。
【００４２】
前記実施形態について説明したが、本発明の実施形態は、これに限られることなく、種々の変更が可能である。例えば、台板１２の形状や大きさについては、電子レベルの仕様等に応じて適宜変更してもよい。また、貫板固定ネジ２５〜２７、および３５の配置や本数等についても、前記実施形態に限られることはない。  また、ヒンジ１６、１７の一方または両方を省略する構成であってもよいし、貫板掛止枠１３の枠窓Ｗを省略する構成であってもよい。
さらに、貫板掛止枠１３の壁板２２等に支柱固定枠１４と同様な構成の第２の支柱固定枠を設けるようにしてもよい。
【００４３】
前記実施形態では、貫板２および壁材７１にレベル取付台１０を設置した例を説明したが、脚立、フェンス、バリケード、ガードレール、組んだ型枠（枠組の上部）、トラックのあおり（荷台の側板）等にもレベル取付台１０を設置することもできる。
また、枠窓Ｗを用いることで、立て枠の縦サン、木杭、住宅の間柱などの縦方向に固定されたものにもレベル取付台１０を取り付けることができる。
【００４４】
【発明の効果】
以上説明したように、本発明によれば、次のような優れた効果を奏する。
(a)  丁張りの貫板に簡単かつ正確に電子レベルを設置することができる。
(b)  電子レベルを移設しても、受光器と基準棒との面倒な位置合わせをやり直す必要がないため、広い範囲で効率よく水平測量を行うことができる。
(c)  地墨出しの補助具としてレベル取付台を兼用することができる。
(d)  簡単な構成部品からなるため、製造コストが安価に抑えられる。
【図面の簡単な説明】
【図１】本発明の実施形態によるレベル取付台を示す斜視図である。
【図２】本発明の実施形態によるレベル取付台を示す平面図である。
【図３】本発明の実施形態によるレベル取付台を示す底面図である。
【図４】本発明の実施形態によるレベル取付台を示す側面図である。
【図５】本発明の実施形態によるレベル取付台の使用状態を示す斜視図である。
【図６】本発明の実施形態によるレベル取付台の使用状態を示す側面図である。
【図７】本発明の実施形態によるレベル取付台の他の使用状態を示す斜視図である。
【図８】本発明の実施形態によるレベル取付台の他の使用状態を示す斜視図である。
【図９】電子レベルの受光器と基準棒との位置合わせの方法を説明するための説明図である。
【符号の説明】
１０    レベル取付台
１２    台板
１３    貫板掛止枠
１４    支柱固定枠
１５    水準器
１６、１７  ヒンジ
１８    レベル固定ネジ
１８ａ  雄ネジ部
１８ｂ  細径部
２１    天板
２２、２３  壁板
２５〜２７  貫板固定ネジ
２５ａ〜２７ａ  ナット
３１    縦板
３２、３３  横板
３５    支柱固定ネジ
４１、４２  気泡管
４４    支持板
５１、５２    振り子ネジ
Ｈ１、Ｈ２  補助孔
Ｎ１、Ｎ２  抜き孔
Ｗ    枠窓
【図１】
0004136743.tif 000002
【図２】
0004136743.tif 000003
【図３】
0004136743.tif 000004
【図４】
0004136743.tif 000005
【図５】
0004136743.tif 000006
【図６】
0004136743.tif 000007
【図７】
0004136743.tif 000008
【図８】
0004136743.tif 000009
【図９】
0004136743.tif 000010